(57)【特許請求の範囲】
【請求項１】
縦横の外形寸法が接近しているカセットを収納するカセット収納ケースであって、
前記収納ケースの上面には、前記カセットのデザインと近似した形態の収納方向を表示する凹凸模様による表示部を設け、該収納ケースの下面には、積み重ねた他の収納ケースの上面の上記表示部の一部に係止して収納ケース同士の積み重ね時の位置ずれを規制する係止部を設けたことを特徴とするカセット収納ケース。
【請求項２】
縦横の外形寸法が接近すると共にその上面及び下面にカセット同士の積み重ね時の位置ずれを規制する凹凸規制部が形成されているカセットを収納するカセット収納ケースであって、
前記収納ケースの上面には、前記カセットのデザインと近似した形態の収納方向を表示する表示部を設けると共に、前記カセットの下面の凹凸規制部に対応する位置に、該カセットの積み重ね時に該カセットの下面の凹凸規制部と相互に係止して位置ずれを規制する凹凸係止部を設け、
前記収納ケースの下面には、前記収納ケースの上面の凹凸規制部に対応する位置に、他の収納ケースへ積み重ね時に、該他の収納ケースの上面の凹凸規制部と相互に係止して位置ずれを規制する凹凸係止部を設けたことを特徴とするカセット収納ケース。
【発明の詳細な説明】
【０００１】
【発明の属する技術分野】
本発明は、例えば縦横の外形寸法が接近するカセットケース内に磁気テープが巻装された単一のリールを回転可能に収容してなる磁気テープカセット（磁気テープカートリッジとも呼ばれる）等を収納するカセット収納ケースの構造に関するものである。
【０００２】
【従来の技術】
近年、主としてコンピュータメモリのバックアップとして機能する記録媒体として使用されているものには、磁気テープを巻装した単一のリールが、略正方形の平面形状を有する扁平なカセットケース内に回転可能に収納された磁気テープカセット、又は、円盤状のディスクが略正方形の平面形状を有する扁平なカセットケース内に回転可能に収納されたディスクカセット等のカセットがある。
【０００３】
これらのカセットは、搬送時、保存時等の不使用時には専用のカセット収納ケースに収納される。また、上記カセットにはその記録内容を識別表示するためのバーコード、メモリチップ等の記録部材が配設され、カセット収納ケースに収納した状態でも上記バーコード等の記録部材が読み取れるように、カセットを一定の方向でカセット収納ケースに収納することが重要である。
【０００４】
さらに、前記カセット及びカセット収納ケースには、その複数個が積み重ねられた状態で移動、輸送又は搬送が可能なように、下面に例えば凸部が設けられ、この凸部が積み重ね時に下方のカセット及び収納ケースの上面に形成された凹部に係合して、積み重ねたときの位置ずれを規制する構造が一般に採用されている。
【０００５】
【発明が解決しようとする課題】
しかして、前述のカセットは外形の縦横寸法が近接したものが多く、収納ケースに縦横を判別して一定の方向に収納することは煩雑で、誤った方向にカセットを収納して前記記録部材の読み取りが不能となったりする問題がある。
【０００６】
また、カセットの誤った方向への収納を防止するために、カセット収納ケースに逆入れ防止リブ等の突起を設け、誤方向収納時にはこの突起によりカセットが突出して収納ケースの蓋が閉まらないように設けることが考えられるが、使用者が収納方向の誤りに気付かずに無理に蓋を閉めるとカセット自体に損傷を与える恐れがある。
【０００７】
さらに、外形寸法が若干違うだけで形態が類似した異品種のカセットが混在して使用されると、各カセットに対応した専用カセット収納ケースの識別が困難で、間違った収納ケースに収納し、カセット又は収納ケースに損傷が発生したり、保管が混乱する恐れもある。
【０００８】
本発明は上記点に鑑みなされたもので、カセット収納ケースへのカセットの誤方向収納を防止すると共に、カセットに対応する専用カセット収納ケースの識別を、積み重ね時の位置ずれ防止機能を確保しつつ簡易に行えるようにしたカセット収納ケースを提供せんとするものである。
【０００９】
【課題を解決するための手段】
上記課題を解決した本発明のカセット収納ケースは、縦横の外形寸法が接近しているカセットを収納するについて、収納ケースの上面には前記カセットのデザインと近似した形態の収納方向を表示する凹凸模様による表示部を設け、該収納ケースの下面には積み重ねた他の収納ケースの上面の上記表示部の一部に係止して収納ケース同士の積み重ね時の位置ずれを規制する係止部を設けたことを特徴とするものである。
【００１０】
また、本発明の他のカセット収納ケースは、縦横の外形寸法が接近すると共にその上面及び下面にカセット同士の積み重ね時の位置ずれを規制する凹凸規制部が形成されているカセットを収納するについて、収納ケースの上面には、前記カセットのデザインと近似した形態の収納方向を表示する表示部を設けると共に、前記カセットの下面の凹凸規制部に対応する位置に、該カセットの積み重ね時に該カセットの下面の凹凸規制部と相互に係止して位置ずれを規制する凹凸係止部を設け、前記収納ケースの下面には、前記収納ケースの上面の凹凸規制部に対応する位置に、他の収納ケースへ積み重ね時に、該他の収納ケースの上面の凹凸規制部と相互に係止して位置ずれを規制する凹凸係止部を設けたことを特徴とするものである。
【００１１】
【発明の効果】
上記のような本発明によれば、収納ケースの上面にカセットのデザインと近似した収納方向を表示する凹凸模様による表示部を設けたことにより、その収納ケースがどの品種のカセットのものかが一目で容易に識別でき、しかもカセット収納方向も判りやすく、縦横の外形寸法が接近しているカセットでも誤方向収納が防止でき、積み重ね時の位置ずれ防止機能も有することで取り扱い性が良好となり作業性が向上する。
【００１２】
また、前記収納ケースの下面に、上面に設けたカセットのデザインと近似した形態の収納方向を表示する凹凸模様による表示部の一部に係止してケース同士の積み重ね時の位置ずれを規制する係止部を設けたことにより、表示部と積み重ね位置ずれ防止構造とが兼用でき構成の簡素化が図れる。
【００１３】
一方、収納ケースの上面及び下面に、カセット同士の積み重ね時の位置ずれを規制する凹凸規制部と同様の凹凸係止部を設けたものでは、カセット又は収納ケース同士の積み重ね時の位置ずれを規制することができ、収納ケース上にカセットをディスプレイ用等に載置する際の位置ずれも規制することができる。
【００１４】
【発明の実施の形態】
以下、図面に示す実施の形態に基づいて本発明を詳細に説明する。
【００１５】
＜第１の実施の形態＞
図１はこの実施の形態におけるカセット収納ケースの上面側及び下面側斜視図、図２は磁気テープカセットを収納し蓋を開いた状態の斜視図、図３はカセット収納ケースを積み重ねた状態の要部断面図である。
【００１６】
カセット収納ケース１は、下側のケース本体１１と一端の薄肉連結部１３を介して開閉回動自在に連接された上側の蓋部材１２とからなり、内部に図２に示すカセット５（磁気テープカセット）を収納する。
【００１７】
上記ケース本体１１は平板状の底板１１ａの奥部に縦壁１１ｂが立設され、左右には側端部より内側に側壁１１ｃが手前側になるに従って低くなるように立設され、手前側の端部には前壁１１ｄが低く形成されている。これらの壁１１ｂ〜１１ｄの内部空間がカセット５の収納空間となる。また、底板１１ａの手前側端部の中央部には指掛け部１１ｅが突出形成されている。
【００１８】
一方、前記蓋部材１２は、平板状の上板１２ａの一端部が前記ケース本体１１の縦壁１１ｂの縁部に薄肉連結部１３を介して起伏回動自在に連結され、上板１２ａの両側部に側壁１２ｃが、薄肉連結部１３と反対側端部に前壁１２ｄが立設されている。蓋部材１２の側壁１２ｃ及び前壁１２ｄはケース本体１１の側壁１１ｃ及び前壁１１ｄより外側に嵌合し、蓋部材１２の側壁１２ｃの下端部が底板１１ａの上面に当接し、蓋部材１２の閉状態において底板１１ａと上板１２ａとが平行となるように寸法が設定されている。また、蓋部材１２の前壁１２ｄの下端中央部は、ケース本体１１の指掛け部１１ｅに対応する部分が凹状に除去されて切欠き部１２ｅが設けられ、この切欠き部１２ｅに向けて前壁１２ｄの前面がテーパー状に除去され、蓋部材１２の閉状態においてはテーパー面下端の切欠き部１２ｅに指掛け部１１ｅの先端が嵌合露出するようになっている。
【００１９】
なお、蓋部材１２の閉状態を維持するために、ケース本体１１の側壁１１ｃと蓋部材１２の側壁１２ｃとの間、又はケース本体１１の前壁１１ｄと蓋部材１２の前壁１２ｄとの間には、閉状態で嵌合する突起と凹部による係合構造（図示省略）が設けられている。
【００２０】
次に、上記収納ケース１内に収納する前記カセット５は、図２のように、プラスチック製の上ハーフと下ハーフとからなる縦横の外形寸法が接近した略正方形のカセットケース５１内に、磁気テープを巻装した単一のリール（図示せず）が回転可能に収容されており、カセットケース５１は平坦な上面及び下面を備えている。カセットケース５１の一側面には磁気テープの一端を引き出すための開口部５２が形成され、スライドドア５３によって開閉される。また、手前側の端面には、バーコードラベル等の貼付領域５４が浅い凹状に形成されている。
【００２１】
上記カセット５の上面には、外部の記録再生装置に対する挿入方向を示す矢印表示５ａが凹部形状で形成されると共に、挿入方向に対して手前側のカセットケース５１の上面に、挿入及び取り出し操作時の保持部分となる凹凸模様５ｂ（図示の場合には全体として山型湾曲模様）が形成されたデザインに設けられている。また、カセットケース５１の上面には、前端部及び後端部の左右に、カセット５を複数個積み重ねたときの位置ずれを規制するための４個の凹規制部５５が形成されている。一方、カセットケース５１の下面には、上記上面の凹規制部５５に対応する同一位置に凸規制部５６（後述の図６参照）が形成され、カセット５を積み重ねたときに下方のカセット５の上面の凹規制部５５に上方のカセット５の下面の凸規制部５６が嵌合して、前後左右方向の位置ずれの規制を行うようになっている。
【００２２】
上記のようなカセット５は前記カセット収納ケース１に対して、カセット５の挿入先端が奥部側（薄肉連結部１３側）となるような収納方向で収納されるものであり、このカセット収納ケース１は、少なくとも蓋部材１２の前壁１２ｄの部分が透明に形成され、カセット５の貼付領域５４のバーコードラベル等が読み取り可能である。
【００２３】
そして、前記収納ケース１は、蓋部材１２の上面１ａに前記カセット５のデザインと近似した収納方向を表示する凹凸模様による表示部１５が設けられている（図１(Ａ)参照）。すなわち、収納ケース１の上面１ａは周囲の枠部を残して中央部が浅い凹部１５ｃに形成され、この凹部１５ｃの薄肉連結部１３側に前記カセット５の上面における挿入方向を示す矢印表示５ａと相似の矢印表示１５ａが凸部模様で形成され、手前側には前記カセット５の保持部分となる凹凸模様５ｂと相似の凹凸模様１５ｂが形成されている。上記表示部１５により、収納ケース１に対するカセット５の正規の収納方向が認識できるようになっている。
【００２４】
また、上記収納ケース１の上面１ａの表示部１５における凹部１５ｃの４隅の直角状角部が、積み重ね時の位置ずれを規制する凹係止部１６に設けられている。一方、収納ケース１の下面１ｂ（図１(Ｂ)参照）には、上記上面１ａの凹係止部１６に相当する位置に、この凹係止部１６の直角状角部内に嵌合して縦横辺に係止する４個の鍵状の凸係止部１７が設けられ、収納ケース１同士の積み重ね時の位置ずれを規制する。
【００２５】
この収納ケース１の積み重ね状態は図３に示すように、上方の収納ケース１の下面１ｂの凸係止部１７が下方の収納ケース１の上面１ａの表示部１５の一部である凹係止部１６に嵌合され、凸係止部１７の突出高さが凹係止部１６の深さより低い場合に、上方の収納ケース１の下面１ｂと下方の収納ケース１の上面１ａとが接触した状態で積み重なって、凹係止部１６の縦横辺に係止して上方の収納ケース１の前後左右方向への位置ずれが規制され、積み重ね状態が維持される。
【００２６】
なお、上記凸係止部１７の突出量が凹係止部１６の深さより高い場合には、上方の収納ケース１の下面１ｂと下方の収納ケース１の上面１ａとの間に隙間が形成された状態で積み重ねられる。また、その凹凸形状は上記と逆に収納ケース１の上面１ａで凸、下面１ｂで凹に設けてもよい。
【００２７】
本実施形態では、表示部１５の一部を利用して積み重ね時の位置ずれを規制する構造を設けたもので、統一的なデザインとなっている。
【００２８】
＜第２の実施の形態＞
図４はこの実施の形態におけるカセット収納ケースの上面側及び下面側斜視図、図５は磁気テープカセットを収納ケース上に載置した状態の斜視図、図６は磁気テープカセット及びカセット収納ケースを積み重ねた状態の要部断面図である。
【００２９】
本例のカセット収納ケース１のケース本体１１と蓋部材１２の上面１ａ及び下面１ｂの形態を除く基本的構造並びに磁気テープカセット５は、前例と同様であり、同一部分には同一符号を付して説明を省略する。
【００３０】
そして、前記収納ケース１における蓋部材１２の上面１ａには、前記カセット５のデザインと近似した収納方向を表示する凹凸模様による表示部２５が設けられている。この例の表示部２５は、上面１ａが略平坦に形成され、その前部側に前記カセット５の上面における挿入方向を示す矢印表示５ａと相似の矢印表示２５ａが凹部模様で形成され、手前側には前記カセット５の保持部分となる凹凸模様１５ｂと相似の凹部模様２５ｂが形成されている。上記表示部２５により、収納ケース１に対するカセット５の正規の収納方向が認識できるようになっている。
【００３１】
また、収納ケース１の上面１ａには、前記カセット５の上面におけるカセット５同士の積み重ね時の位置ずれを規制する４ヶ所の凹規制部５５と対応する位置に、４個の凹係止部２６が設けられ、一方、収納ケース１の下面１ｂには、上記した上面１ａの凹係止部２６に対応する位置に嵌合可能な４個の凸係止部２７が設けられている。これにより、カセット５又は収納ケース１同士の積み重ね時に相互に係止して位置ずれを規制するようになっている。
【００３２】
この収納ケース１にカセット５を載置した状態は図３及び図４に示すように、カセット５の下面の凸規制部５６が収納ケース１の上面１ａの凹係止部２６に係合して位置ずれの規制が行えると共に、収納ケース１同士の積み重ねにおいては、上方の収納ケース１の下面１ｂの凸係止部２７が下方の収納ケース１の凹係止部２６に嵌合され、上方の収納ケース１の前後左右方向への位置ずれが規制され、積み重ね状態が維持される。
【００３３】
本実施形態では、収納ケース１上に一時的に又はディスプレイ用に載置したカセット５の位置ずれを規制する構造を、収納ケース１同士の積み重ね時の位置ずれを規制する構造と兼ねて設けている。
【００３４】
上記のような両実施の形態によれば、収納ケース１の蓋部材１２上面にカセット５の収納方向に対応するデザイン（矢印表示５ａ、凹凸模様５ｂ）に相似した形状を有する表示部１５，２５を形成したことにより、この収納ケース１に収納すべき種類のカセット５との対応の認識が容易に一目で行え、しかもその収納方向についてもデザイン的に一致する向きに合わせることで簡易に認識でき、誤った方向への収納が防止でき、異なる収納ケース１への収納又は誤った方向への収納に伴うカセット５及び収納ケース１の損傷が防止できる。
【００３５】
また、収納ケース１からカセット５を取り出す際には、一方の手を指掛け部１１ｅに掛けて下方に押さえ、他方の手で蓋部材１２を上方に持ち上げることで開操作が行え、一方の手でケース本体１１の底部の両側を保持する必要がないことで、開閉操作がやりやすくなっている。
【００３６】
なお、収納ケース１の上面１ａに設ける表示部１５，２５としては、矢印表示１５ａ，２５ａ又は凹凸模様１５ｂ，２５ｂの何れか一方であってもよい。
【００３７】
また、指掛け部１１ｅは中央でなく両側部側の前部に形成するようにしてもよく、その場合に、蓋部材１２の前壁１２ｄの中央の下方に延びる部材の下端部に、ケース本体１１の底板１１ａの前端に係合して蓋部材１２の閉状態を保持する係合構造を設けるのが好適である。
【図面の簡単な説明】
【図１】本発明の第１の実施の形態によるカセット収納ケースの上面側及び下面側斜視図
【図２】図１のカセット収納ケースにカセットを収納し蓋を開いた状態の斜視図
【図３】図１のカセット収納ケースを積み重ねた状態の要部断面図
【図４】本発明の第２の実施の形態によるカセット収納ケースの上面側及び下面側斜視図
【図５】図４のカセット収納ケース上にカセットを載置した状態の斜視図
【図６】図４のカセット収納ケースとカセットを積み重ねた状態の要部断面図
【符号の説明】
１    カセット収納ケース
1a    上面
1b    下面
11    ケース本体
12    蓋部材
15,25     表示部
15a,25a   矢印表示
15b,25b   凹凸模様
15c   凹部
16,26     凹係止部
17,27     凸係止部
５    カセット
5a    矢印表示
5b    凹凸模様
51    カセットケース
54    貼付領域
55    凹規制部
56    凸規制部
【図１】
0003973782.tif 000002
【図２】
0003973782.tif 000003
【図３】
0003973782.tif 000004
【図４】
0003973782.tif 000005
【図５】
0003973782.tif 000006
【図６】
0003973782.tif 000007